(57)【要約】【課題】交流電源からの電力供給が停止した場合の予備電源の電池残量の減少を抑制することができ、懐中電灯として利用可能な照明装置及び商品展示装置を提供する。【解決手段】照明装置１は、光透過性の材料から形成されたパイプ部材１０と、パイプ部材１０の内側に収容され、パイプ部材１０の長手方向に沿って延びる回路基板２０と、回路基板２０に長手方向に沿って実装された複数のＬＥＤ素子２１と、外部からの電力供給の停止を検出する検出部２４３ａと、検出部２４３ａが電力供給の停止を検出した場合に、複数のＬＥＤ素子２１のうち一部のＬＥＤ素子２１Ｂに電力を供給する乾電池２４１ａとを備える。【選択図】図２
2019192427.tif 000002
【特許請求の範囲】
【請求項１】
光透過性の材料から形成されたパイプ部材と、
前記パイプ部材内に収容され、前記パイプ部材の長手方向に沿って延びる回路基板と、
前記回路基板に前記長手方向に沿って実装された複数の発光素子と、
外部からの電力供給の停止を検出する検出部と、
前記検出部が前記電力供給の停止を検出した場合に、前記複数の発光素子のうち一部の前記発光素子に電力を供給する電池と、
を備えた照明装置。
【請求項２】
前記一部の発光素子は、前記長手方向の複数の箇所に分散して配置された、
請求項１に記載の照明装置。
【請求項３】
前記検出部が前記電力供給の停止を検出する第１のモードと、前記検出部が前記電力供給の停止を検出しない第２のモードとを切り替える切替部、
をさらに備えた請求項１又は２に記載の照明装置。
【請求項４】
前記電池は、乾電池である、
請求項１から３のいずれか１項に記載の照明装置。
【請求項５】
前記複数の発光素子は、前記回路基板の一方の面に実装され、
前記乾電池は、前記パイプ部材の内側であって、前記回路基板の前記一方の面と反対側の面側に配置された、
請求項１から４のいずれか１項に記載の照明装置。
【請求項６】
着脱可能に設けられた請求項１から５のいずれか１項の照明装置を備えた商品展示装置。
【発明の詳細な説明】
【技術分野】
【０００１】
本発明は、複数の発光素子を有する照明装置、及びその照明装置を備えた商品展示装置に関する。
【背景技術】
【０００２】
従来、外部からの電力供給が停止した場合にもＬＥＤ（発光ダイオード）を点灯させるようにした照明装置が提案されている（例えば、特許文献１参照）。
【０００３】
特許文献１に記載された照明装置は、円筒形状を有するケースと、ケース内に配置された回路基板と、回路基板の一方の面に設けられた複数のＬＥＤと、商用電源から供給された交流電力を直流電力に変換するＡＣ／ＤＣコンバータと、予備電源としての二次電池と、二次電池を充電させる充放電制御回路と、商用電源からの電力がないと判断した場合には、スイッチを制御して二次電池の放電を行うように充放電制御回路に制御信号を送信する制御部とを備える。
【先行技術文献】
【特許文献】
【０００４】
【特許文献１】特開２０１３−１０１７８５号公報
【発明の概要】
【発明が解決しようとする課題】
【０００５】
しかし、従来の照明装置によると、交流電源からの電力供給が停止した場合に、予備電源により全てのＬＥＤを点灯させているため、予備電源の電池残量の減りが一部のＬＥＤを点灯させる場合よりも早い。また、災害等による停電時にコンビニエンスストア等の店舗内にいる店員や顧客が懐中電灯を探すのに手間取る場合がある。
【０００６】
本発明の課題は、交流電源からの電力供給が停止した場合の予備電源の電池残量の減少を抑制することができ、懐中電灯として利用可能な照明装置及び商品展示装置を提供することにある。
【課題を解決するための手段】
【０００７】
［１］光透過性の材料から形成されたパイプ部材と、
前記パイプ部材内に収容され、前記パイプ部材の長手方向に沿って延びる回路基板と、
前記回路基板に前記長手方向に沿って実装された複数の発光素子と、
外部からの電力供給の停止を検出する検出部と、
前記検出部が前記電力供給の停止を検出した場合に、前記複数の発光素子のうち一部の前記発光素子に電力を供給する電池と、を備えた照明装置。
［２］前記一部の発光素子は、前記長手方向の複数の箇所に分散して配置された、前記［１］に記載の照明装置。
［３］前記検出部が前記電力供給の停止を検出する第１のモードと、前記検出部が前記電力供給の停止を検出しない第２のモードとを切り替える切替部、をさらに備えた前記［１］又は［２］に記載の照明装置。
［４］前記電池は、乾電池である、前記［１］から［３］のいずれかに記載の照明装置。
［５］前記複数の発光素子は、前記回路基板の一方の面に実装され、
前記乾電池は、前記パイプ部材の内側であって、前記回路基板の前記一方の面と反対側の面側に配置された、前記［１］から［４］のいずれかに記載の照明装置。
［６］着脱可能に設けられた前記［１］から［５］のいずれかの照明装置を備えた商品展示装置。
【発明の効果】
【０００８】
本発明によれば、交流電源からの電力供給が停止した場合の予備電源の電池残量の減少を抑制することができ、懐中電灯として利用可能になる。
【図面の簡単な説明】
【０００９】
【図１】図１は、本発明の実施の形態に係る商品展示装置の概略の構成を示す要部断面図である。
【図２】図２は、照明装置の斜視図である。
【図３】図３は、照明装置のソケットを除きパイプ部材の端部側からパイプ部材の内部を見た場合の側面図である。
【図４】図４は、電源部の構成例を示す回路図である。
【発明を実施するための形態】
【００１０】
以下、本発明の実施の形態について図面を参照して説明する。なお、各図中、実質的に同一の機能を有する構成要素については、同一の符号を付してその重複した説明を省略する。
【００１１】
［実施の形態］
図１は、本発明の実施の形態に係る商品展示装置の概略の構成を示す要部断面図である。
【００１２】
この商品展示装置５０は、背面板５１と、第１の天板５２Ａと、反射板５３と、第２の天板５２Ｂと、前面板５４と、背面板５１から水平方向に取り付けられ、商品Ｐが陳列される第１の商品棚５５Ａ及び第２の商品棚５５Ｂと、反射板５３と前面板５４との間に水平方向に配置された照明装置１とを備える。反射板５３は、第１及び第２の商品棚５５Ａ、５５Ｂの後方上部に傾斜して配置されている。商品展示装置５０は、例えば、コンビニエンスストア等の店舗内に設置される。
【００１３】
照明装置１は、図示しない支持金具によって例えば第２の天板５２Ｂに取り付けられている。照明装置１は、例えば、回路基板２０の裏面２０ｂが反射板５３に向くように反射板５３の前方に配置されている。
【００１４】
背面板５１、第１の天板５２Ａ、反射板５３、第２の天板５２Ｂ、第１の商品棚５５Ａ及び第２の商品棚５５Ｂは、例えば、金属から形成されている。前面板５４は、光透過性を有する樹脂又はガラスから形成されている。前面板５４には、広告等のためのシールが設けられている。
【００１５】
以上のように構成された商品展示装置５０において、回路基板２０の表面２０ａの側に出射した光は、前面板５４を照射して広告等を明るく照らす。一方、回路基板２０の表面２０ａ側に出射し、パイプ部材１０及びパイプ部材１０内の各部で反射又は散乱して回路基板２０の裏面２０ｂ側に回り込んだ光は、反射板５３で反射して第１の商品棚５５Ａ及び第２の商品棚５５Ｂ等を明るく照らす。第２の商品棚５５Ｂは、照明装置１からの光でも照明されるが、商品展示装置５０が設置された室内に設けられた蛍光灯等の光でも照明される。
【００１６】
（照明装置の全体構成）
図２は、照明装置１を示す斜視図である。図３は、照明装置１のソケットを除きパイプ部材１０の端部側からパイプ部材１０の内部を見た場合の側面図である。
【００１７】
照明装置１は、円筒パイプからなる光透過性のパイプ部材１０と、パイプ部材１０の両端を閉蓋するキャップ状の一対のソケット１１と、パイプ部材１０の内側に収容されて発光する照明部２とを備える。一方のソケット１１には、後述するＬＥＤ素子２１に電力を供給するモードを切り替えるモード切替スイッチ２４４が設けられている。
【００１８】
照明部２は、ＬＥＤ素子２１を実装するための図示しない配線パターンが形成された回路基板２０と、回路基板２０の表面２０ａにパイプ部材１０又は回路基板２０の長手方向に沿って実装された複数のＬＥＤ素子２１と、ＬＥＤ素子２１から出射された光の配光特性を変更するレンズ２２と、回路基板２０をパイプ部材１０に支持する支持部材２３と、回路基板２０の裏面２０ｂに搭載された後述する電源部２４とを有する。ＬＥＤ素子２１は、発光素子の一例である。
【００１９】
複数のＬＥＤ素子２１は、複数個（本実施の形態では５つ）ごとに所定の間隔を設けて配置され、商用電源から電力が供給された場合のみ点灯する第１のＬＥＤ素子２１Ａと、複数個ごとに配置された第１のＬＥＤ素子２１Ａ間に配置され、商用電源から電力が供給された場合だけでなく、商用電源から電力が供給されなくなり、予備電源２４１（図４参照）から電力が供給された場合にも点灯する第２のＬＥＤ素子２１Ｂとから構成されている。第１のＬＥＤ素子２１Ａ間に配置される第２のＬＥＤ素子２１Ｂの数は、本実施の形態では２個であるが、１個でも３個以上でもよい。
【００２０】
モード切替スイッチ２４４は、商用電源からの電力供給が停止した場合に、予備電源２４１から電力を第２のＬＥＤ素子２１Ｂに供給する第１のモード（オートモードともいう。）と、商用電源からの電力供給が停止した場合に、予備電源２４１から電力を第２のＬＥＤ素子２１Ｂに供給しない第２のモード（マニュアルモードともいう。）とにスライド操作（図２の矢印方向の操作）により切り替え可能になっている。
【００２１】
（パイプ部材の構成）
パイプ部材１０は、例えばアクリル樹脂、ポリカーボネート樹脂等の光透過性を有する材料からなる。なお、当該材料に拡散剤が含まれていてもよい。パイプ部材１０は、例えば、既存の直管蛍光灯とほぼ同一の直径、長さ及び外観形態を有している。パイプ部材１０は、図３に示すように、内周面１０ａから径方向に突出する一対の凸部１０１を内周面１０ａの対向する位置にそれぞれ設けることにより、内周面１０ａの長手方向に沿って平行に延びる一対の係合受部としての凹部１００が形成されている。
【００２２】
図３に示すように、一対の凹部１００は、支持部材２３の外側突起２３２を係合支持する。図示例によれば、パイプ部材１０の凹部１００は、内周面の長手方向に沿って延びるレール状の凹凸部となっているが、これに限定されるものではなく、例えばパイプ部材１０の内周面１０ａから径方向に窪んでおり、内周面１０ａの長手方向に沿って延びる溝状の凹部を形成してもよい。
【００２３】
（ソケットの構成）
ソケット１１の端部の材質としては、例えばアルミニウム、アルミニウム合金等の金属の他、ポリブチレンテレフタレート樹脂、ポリカーボネート樹脂等の樹脂を用いることができる。このソケット１１のそれぞれは、図示しない蛍光灯ソケット部の端子に接続させるための金属製の２本一対のソケット端子１１０を備え、端部に金属を用いる場合には、ソケット端子１１０をベークライトにより絶縁的に支持する。また、端部に樹脂を用いる場合には、ソケット端子１１０を樹脂によりかしめて支持する。
【００２４】
これらのソケット端子１１０の外部への突出端は、蛍光灯ソケット部の端子に電気的に接続される。ソケット端子１１０の突出端と反対側の他端は、回路基板２０上に設けられたパッドと電気的に接続されている。ソケット１１のパイプ部材１０と接続される接続部は、例えばポリブチレンテレフタレート樹脂、ポリカーボネート等の樹脂で形成される。
【００２５】
（照明部の構成）
回路基板２０の表面２０ａには、前述したように一定のピッチで回路基板２０の長手方向に沿って配置された複数のＬＥＤ素子２１が実装され、回路基板２０の裏面２０ｂには、ＬＥＤ素子２１に電力を供給する電源部２４が搭載されている。電源部２４は、幅が回路基板２０の幅よりも小さいのが好ましい。なお、ＬＥＤ素子２１は、ピッチを任意にすることができる。
【００２６】
回路基板２０は、材質として、例えばガラス基材（例えば、ＦＲ−４等）又はエポキシ系・ポリエステル系コンポジット基材（例えば、ＣＥＭ−３等）の材料を用いることができる。
【００２７】
照明装置１としては、フリップチップタイプのＬＥＤ素子２１を使用するが、これに限定されるものではない。ＬＥＤ素子２１の他の一例としては、例えば青色ＬＥＤを蛍光体により波長変換して白色を発光可能に構成されていてもよい。
【００２８】
（レンズの構成）
レンズ２２は、ＬＥＤ素子２１から出射された光が入射する平坦な入射面２２４と、入射面２２４に入射した光を側面方向にほぼ全反射する山形状の第１の出射面２２５ａと、入射面２２４に入射した光を屈折させて右斜め上方向に出射する第２の出射面２２５ｂと、回路基板２０の表面２０ａに接触する接触凸部２２６と、支持部材２３のベース部２３０と内側突起２３３との間の係合受部に係合される係合突起２２３とを備える。
【００２９】
入射面２２４は、ＬＥＤ素子２１から入射した光の一部（光軸２１Ａの方向を除く）を屈折させて第１の出射面２２５ａ及び第２の出射面２２５ｂまで導光する。なお、入射面２２４は、一部に曲面を含んでいてもよい。
【００３０】
第１の出射面２２５ａは、光軸２１Ａの部分が最も低い山型形状を有する。第１の出射面２２５ａは、入射面２２４に入射した光を全反射（一部は屈折）させることで、側面方向、すなわち光を回路基板２０の幅方向（左の側面方向）に拡散させて出射する。側面方向は、回路基板２０の表面２０ａに平行な方向（水平方向）、回路基板２０の表面２０ａ側の光軸方向と水平方向との間の斜め方向、回路基板２０の裏面２０ｂ側の光軸方向と水平方向との間の斜め方向を含む。第２の出射面２２５ｂは、入射面２２４に入射した光を屈折させて右斜め上方に出射する。このような構造のレンズ２２は、複数のＬＥＤ素子２１から出射された光にＬＥＤ素子２１の光軸方向の光強度よりも左側の側面方向と右斜め上方向の光強度が大きくなるような配光特性を付与する。これにより、回路基板２０の幅方向に広がった配光特性を有する。
【００３１】
（支持部材の構成）
支持部材２３は、パイプ部材１０の内径よりも小さい幅を有し、パイプ部材１０の長手方向に延びたベース部２３０と、ベース部２３０の幅方向の両端部にベース部２３０に直交するように設けられた一対の側部２３１と、一対の側部２３１の外側の面から外側に突出した外側突起２３２と、一対の側部２３１の上端部から内側に突出した内側突起２３３とを備え、全体として板状の形状を有する。
【００３２】
支持部材２３は、例えば、アクリル樹脂、ポリカーボネート樹脂等の樹脂材料から形成されている。
【００３３】
回路基板２０には、図示しない複数の貫通孔又は切欠きが形成され、支持部材２３には、回路基板２０に形成された貫通孔又は切欠きに嵌合される図示しない複数の位置決め凸部が形成されている。これにより、支持部材２３に対する回路基板２０を位置決めすることができる。
【００３４】
（電源部の構成）
図４は、電源部２４の構成例を示す回路図である。電源部２４は、商用電源から供給された交流電力を直流電力に変換するＤＣ／ＡＣコンバータ２４０と、 商用電源からの電力供給が停止した場合に、一部のＬＥＤ素子２１、すなわち第２のＬＥＤ素子２１Ｂに電力を供給する予備電源２４１と、電源部２４を制御する制御回路２４３と、ＬＥＤ素子２１に電力を供給するモードを切り替えるモード切替スイッチ２４４とを備える。
【００３５】
回路基板２０に実装された複数のＬＥＤ素子２１は、複数（例えば、１７）のＬＥＤ列２１０が並列に接続されている。１つのＬＥＤ列２１０は、図１でも説明したように、５つの第１のＬＥＤ素子２１Ａと、２つの第２のＬＥＤ素子２１Ｂとから構成されている。
【００３６】
全体のＬＥＤ素子２１の数に対する第２のＬＥＤ素子２１Ｂの数の比率は、本実施の形態では２／７（約２８．６％）としているが、例えば、２０〜４０％、又は２５〜３５％でもよい。
【００３７】
ＡＣ／ＤＣコンバータ２４０には、商用電源からソケット端子１１０を介して１００Ｖ又は２００Ｖ、５０Ｈｚ／６０Ｈｚの交流の電力が供給される。
【００３８】
予備電源２４１は、直列に接続された複数（例えば、５つ）の乾電池２４１ａとを備える。予備電源２４１は、回路基板２０の長手方向に沿って回路基板２０の裏面２０ｂに搭載されている。予備電源２４１から供給される電力により、商用電源から電力が供給されなくても第２のＬＥＤ素子２１Ｂが点灯する。乾電池２４１ａは、交換可能な構造でもよいし、交換不可能な構造でもよい。
【００３９】
制御回路２４３は、ＤＣ／ＡＣコンバータ２４０の一対の出力端子の一方に接続され、商用電源からの電力供給の停止を検出する検出部２４３ａと、予備電源２４１からの電力により閉動作する動作用スイッチ２４３ｂとを備える。検出部２４３ａは、例えば、ａ接点リレーを用いることができる。動作用スイッチ２４３ｂは、例えば、ｂ接点リレーを用いることができる。なお、図４は、モード切替スイッチ２４４が第１のモードを選択している場合を示す。
【００４０】
（照明装置の動作）
次に、本実施の形態に係る照明装置１の動作の一例を説明する。
【００４１】
（１）第１のモード（オートモード）の場合
モード切替スイッチ２４４を第１のモードに切り替えた場合、停電等により商用電源から電源部２４に電力が供給されなくなると、制御回路２４３の検出部２４３ａが閉動作し、動作用スイッチ２４３ｂが閉動作して、予備電源２４１からの電力が検出部２４３ａ、モード切替スイッチ２４４及び動作用スイッチ２４３ｂを介して第２のＬＥＤ素子２１Ｂに供給される。照明装置１を商品展示装置５０の支持金具から外して懐中電灯として用いることができる。
【００４２】
（２）第２のモード（マニュアルモード）の場合
モード切替スイッチ２４４を第２のモードに切り替えた場合、展示の時間外になったために商用電源を切り、商用電源から電源部２４に電力が供給されなくなると、制御回路２４３の検出部２４３ａが閉動作しても動作用スイッチ２４３ｂは閉動作しないため、予備電源２４１から電力を第２のＬＥＤ素子２１Ｂに供給できず、全てのＬＥＤ素子２１が消灯する。これにより予備電源２４１の電池残量の減少が抑制される。
【００４３】
（本実施の形態の作用、効果）
本実施の形態によれば、以下の作用、効果を奏する。
（１）停電等により商用電源から電力が供給されなくなった場合に、予備電源２４１から第２のＬＥＤ素子２１Ｂに電力を供給しているため、全てのＬＥＤ素子２１に電力を供給する場合と比較して、予備電源２４１の電池残量の減少を抑制することができる。
（２）第１のモードに切り替えておけば、停電等により商用電源から電力が供給されなくなっても予備電源２４１により第２のＬＥＤ素子２１Ｂが自動点灯するため、懐中電灯を探す手間が省ける。
（３）第２のＬＥＤ素子２１は、長手方向に分散して配置しているため、商品展示装置５０から照明装置１を外して懐中電灯として用いた場合、広い範囲を照らすことができる。
（４）予備電源２４１に乾電池２４１ａを用いているので、二次電池を充電させるための充放電制御回路が不要になり、コスト高になるのを抑制できる。
（５）ソケット端子１１０を備えているため、パイプ部材１０を既存の直管蛍光灯とほぼ同一の大きさ、長さ等とすることにより、蛍光管を本実施の形態の照明装置１に置き換えることができる。
【００４４】
なお、本発明の実施の形態は、上記実施の形態に限定されるものではなく、本発明の要旨を変更しない範囲内で種々に変形、実施が可能である。例えば、上記実施の形態では、ＡＣ／ＤＣコンバータ２４０を照明装置１に内蔵したが、外付けとしてもよい。この場合は、ソケット１１にＤＣジャックを設ければよい。
【００４５】
また、本発明の要旨を変更しない範囲内で、上記実施の形態の構成要素の一部を省くことが可能である。例えば、上記実施の形態では、ＬＥＤ素子２１の出射側にレンズ２２を配置しているが、レンズ２２を省いてもよい。
【符号の説明】
【００４６】
１…照明装置、２…照明部、１０…パイプ部材、１０ａ…内周面、１１…ソケット、２０…回路基板、２０ａ…表面、２０ｂ…裏面、２１…ＬＥＤ素子、２１Ａ…光軸、２１Ａ…第１のＬＥＤ素子、２１Ｂ…第２のＬＥＤ素子、２２…レンズ、２３…支持部材、２４…電源部、５０…商品展示装置、５１…背面板、５２Ａ…第１の天板、５２Ｂ…第２の天板、５３…反射板、５４…前面板、５５Ａ…第１の商品棚、５５Ｂ…第２の商品棚、１００…凹部、１０１…凸部、１１０…ソケット端子、２１０…ＬＥＤ列、２２３…係合突起、２２４…入射面、２２５ａ…第１の出射面、２２５ｂ…第２の出射面、２２６…接触凸部、２３０…ベース部、２３１…側部、２３２…外側突起、２３３…内側突起、２４０…ＡＣ／ＤＣコンバータ、２４１…予備電源、２４１ａ…乾電池、２４３…制御回路、２４３ａ…検出部、２４３ｂ…動作用スイッチ、２４４…モード切替スイッチ
【図１】
2019192427.tif 000003
【図２】
2019192427.tif 000004
【図３】
2019192427.tif 000005
【図４】
2019192427.tif 000006